(57)【特許請求の範囲】
【請求項１】
篩面（１）を介して流れる流体中の凝血塊を捕集するための篩面（１）を備えた凝血塊捕捉器（１００）と、前記篩面（１）と略平行に配置されたフィルム（２１）と、を含む、血液処理に使用の血液カセットにおいて、
前記篩面（１）が円板状の形状を有し、
前記篩面（１）が流体を通流させる多数の通流孔（３）を含み、
前記多数の通流孔（３）が同心状の円若しくは部分円上に配置され、且つ／又は
前記多数の通流孔（３）が前記凝血塊捕捉器（１００）若しくは前記篩面（１）の中心点（７）に対して半径方向に配置されたことを特徴とする血液カセット。
【請求項２】
前記多数の通流孔（３）が前記篩面（１）の全体にわたって配置された、請求項１に記載の血液カセット。
【請求項３】
前記篩面（１）の一部分（５）に通流孔（３）が含まれない、請求項１又は２に記載の血液カセット。
【請求項４】
前記一部分（５）が前記凝血塊捕捉器（１００）の流出領域（１１）または前記凝血塊捕捉器（１００）を収容した筐体（２００）の流出領域に対向する、請求項３に記載の血液カセット。
【請求項５】
前記篩面（１）の両側の一方における前記多数の通流孔（３）が面取りされてない、請求項１〜４のいずれか一項に記載の血液カセット。
【請求項６】
前記多数の通流孔（３）が前記篩面（１）の片側でＲ面取りされている、請求項１〜５のいずれか一項に記載の血液カセット。
【請求項７】
前記多数の通流孔（３）が両側でＲ面取りされている、請求項１〜４のいずれか一項に記載の血液カセット。
【請求項８】
少なくとも１つの血液適合性基材から製造された、請求項１〜７のいずれか一項に記載の血液カセット。
【請求項９】
少なくとも１つの血液適合性材料で被覆された、請求項１〜８のいずれか一項に記載の血液カセット。
【請求項１０】
筐体（２００）内に配置された、請求項１〜９のいずれか一項に記載の血液カセット。
【請求項１１】
前記凝血塊捕捉器（１００）が前記筐体（２００）に接続された、請求項１０に記載の血液カセット。
【請求項１２】
前記凝血塊捕捉器（１００）が前記筐体（２００）にスナップ留めされた、請求項１０に記載の血液カセット。
【請求項１３】
前記凝血塊捕捉器（１００）が前記筐体（２００）に溶着された、請求項１０に記載の血液カセット。
【請求項１４】
前記フィルム(２１)が少なくとも１つのセンサ（２３）のための結合面として機能する、請求項１〜１３のいずれか一項に記載の血液カセット。
【請求項１５】
請求項１〜１４のいずれか一項に記載の血液カセットを含む処理装置。
【請求項１６】
前記処理装置が血液処理装置として構成された、請求項１５に記載の処理装置。
【発明の詳細な説明】
【技術分野】
【０００１】
本発明は、請求項１の前文に記載の凝血塊捕捉器（ｃｌｏｔ  ｔｒａｐ）に関する。本発明はさらに、請求項１９に記載の外部機能手段、請求項２１に記載の血液回路のみならず、請求項２２に記載の処理装置にも関する。
【背景技術】
【０００２】
凝血塊捕捉器は、体外血流に存在する凝血塊または血栓を捕捉または保留するために、とりわけ体外血液回路に使用される。
【発明の概要】
【発明が解決しようとする課題】
【０００３】
本発明の目的は、さらなる凝血塊捕捉器を明確化することである。
【課題を解決するための手段】
【０００４】
この目的は、請求項１に記載の特徴を有する凝血塊捕捉器を介して達成される。
【０００５】
本発明の凝血塊捕捉器は、篩面を介して流れる流体の凝血塊を捕集するのに適しかつ捕集するように意図された篩面または凝血塊捕捉面を備える。
【０００６】
本明細書で使用する場合、「篩面」という表現は、凝血塊捕捉器を凝血塊が通過するのを防止するように意図された凝血塊捕捉器の手段または構成要素を表わす。
【０００７】
好適には、篩面は、機械的に動作する篩または濾過効果を有する手段であるが、それに限定されない。
【０００８】
さらに、篩面は、代替的にまたは追加的に、例えば物理的および／または化学的作用によって凝血塊を保留または溶解するのに適し、かつそうするように意図されている。
【０００９】
本発明では、篩面は円板状の形状を有する。
【００１０】
本明細書で使用する場合、「円板状」という表現は、篩面が好ましくは略円板の形状または完全に円板の形状に構成されることを意味する。
【００１１】
本発明の有利な実施形態または展開は、添付するそれぞれの請求項の対象である。
【００１２】
以下では、凝血塊捕捉器を介して流れる流体は、流入側で、凝血塊捕捉器内に完全にまたはその一部分に流入し、篩面を介して流れ、流出側で凝血塊捕捉器から流出する。本発明では、凝血塊は、例えば血栓や固体不純物等と理解される。
【００１３】
本発明で使用する場合、「流体」という表現は、例えば血液、気体、乳濁液、懸濁液、分散系等の医療用液体、および、それらを組合せたもののような液体を包含するが、それらの液体に限定されない。
【００１４】
本発明に係る全ての実施形態で、円板状の篩面は、凸凹および／または起伏、湾曲等があってもよい。あるいは、篩面は偏平であるかまたは平面内に含まれるという意味で平板状とすることができる。
【００１５】
円板状とは、第１の寸法（主延長）が、この寸法に直交する方向の寸法より明らかに大きい構造を表わす。
【００１６】
凝血塊捕捉器は、その利用中、またはその利用のために、例えば図６に示すように、篩面の主延長に対して略垂直に配置することが好ましい。
【００１７】
本明細書で使用する場合、「略垂直」という表現は、垂直に対する凝血塊捕捉器の傾斜を任意の方向に最大で約１５度とすることができるが、＋／−１５度の最大傾斜が特に好ましいことを意味する。＋／−１５度未満の傾斜も同様に好ましい。前部または後部に対して、または片側に対して、例えば時計方向に１５度、または反時計方向に１５度の傾斜の可能性は（いずれの方向においても）、図４および図７に部分的に示される。
【００１８】
「垂直」および「水平」という表現は、地球の中心に対することが好ましい。
【００１９】
使用中に、凝血塊捕捉器は、地球の中心に対して無作為の角度に、または無作為の傾斜に配置することができる。
【００２０】
化学的濾過または篩分け効果は、凝血塊を篩面に対して、および／または、篩面内において、例えばその細孔内に化学的に結合させることによって達成される。凝血塊は可逆的に、または、不可逆的に篩面に結合させることができる。凝血塊は物理的作用によって篩面に吸収させることができる。凝血塊はさらに、篩面で完全にまたは部分的に溶解させることができる。
【００２１】
好適な実施形態では、篩面は通流孔を含み、流体は通流孔を介して流入側から流出側に通流することができる。通流孔を用いて、機械的濾過または篩分け効果を達成することができる。通流孔の大きさまたは篩面のメッシュサイズは、凝血塊が流入流体の流入側で保留されるようなサイズに選択することができる。
【００２２】
篩面の通流孔はまとめて篩面の通路の開口総表面積を形成する。
【００２３】
通流孔の寸法は、流入流体または流体流内に存在する凝血塊、凝集体、固体粒子等が流体流から流体の流入側に保留され、凝血塊捕捉器の流出側に到達しないような大きさに選択することができる。
【００２４】
別の好適な実施形態では、通流孔の全てが円上または円上の一部分に、特に同心円上に配置される。例示的配置を以下で図１に示す。
【００２５】
代替例として、単に複数の通流孔だけが円上に、特に同心円上に配置される。
【００２６】
さらなる好適な実施形態では、通流孔の全部または一部だけが凝血塊捕捉器または篩面の中心点に対し半径方向に配置される。
【００２７】
「中心点」という表現は、円板形の篩面および／または凝血塊捕捉器の中心点または中心領域内の１点を指す。この中心点は、篩面および／または凝血塊捕捉器の重心または質量の幾何学的中心、および／または、円形篩面および／または凝血塊捕捉器の円心に相当することができる。
【００２８】
通流孔の同心配置と比較して、「径方向」配置の通流孔は、それらが篩面または凝血塊捕捉器の中心点から半径方向に、特に篩面の主延長の平面と平行な１つまたは複数の平面内で、延びるように設けられる。
【００２９】
好適な実施形態では、篩面上全体に多数の通流孔が配置される。
【００３０】
通流孔は、篩面全体に互いにそれぞれ同一距離に分散されるように配置することができる。通流孔は、例えば図２に示すように、互いにずらして配置することができる。
【００３１】
通流孔は篩面上に、篩面および／または凝血塊捕捉器の中心点に対して対称になるように配置することができる。しかし、通流孔は篩面上に非対称に配置することもできる。
【００３２】
さらなる好適な実施形態では、篩面の少なくとも一部分は通流孔を含まないか、あるいは篩面の他の領域と比較して通流孔の数が少ない。
【００３３】
そのような配置の１つの例を図３および図４に示す。
【００３４】
通流孔を持たないか、または比較的少数の通流孔しか持たない部分は、凝血塊捕捉器または凝血塊捕捉器が収容された筐体の流出領域に対向することができる。
【００３５】
この部分は扇形の形状を有することができる。凝血塊捕捉器の使用位置で、部分円弧の外周は、部分円弧の先端から下流に位置することが好ましい。
【００３６】
通流孔は任意の所望の適切な幾何学的形状を有することができる。通流孔は例えば多角形、円形、および／または楕円形等の形状を有することができる。
【００３７】
多くの通流孔は例えば、篩面の両面（流入側および流出側）の少なくとも一方に、例えば図８Ａに示すように、鋭利なエッジを有するように設計することができる。
【００３８】
代替的にまたは追加的に、篩面の少なくとも片側では多数の通流孔が、丸みを帯びるように、またはトリミングされるように設計することができる。例示的実施形態を図８Ｂに示す。
【００３９】
通流孔は両側に丸みを帯びるように設計することができる。例示的実施形態を図８Ｃに示す。
【００４０】
通流孔の長さおよび／または幅は、例えば半径方向の距離、すなわち中心領域から篩面の辺縁または境界までの距離に応じて変化することができる。例えば、外側に向かう半径方向の距離が増大するにつれて、通流孔の長さおよび／または幅も増大することができる。
【００４１】
通流孔の長さおよび／または幅は、例えば角度方向に応じて変化することができる。
【００４２】
「角度」とは、凝血塊捕捉器または篩面の円弧に沿って、凝血塊捕捉器または篩面の中心点または中心領域の１点を通過する直線と、篩面の中心点を通過する別の直線との間の扇形の角度である。
【００４３】
凝血塊捕捉器は少なくともその一部分を血液適合性基材から作ることができる。凝血塊捕捉器は全体を血液適合性基材から作ることができる。
【００４４】
適切な血液適合性基材の例として、特に血液適合性であることが好ましいＰＶＰ（ポリビニルピロリドン）の他に、ＰＰ（ポリプロピレン）も挙げられるが、それらに限定されない。
【００４５】
さらなる好適な実施形態では、凝血塊捕捉器は基材から作られる。適切な基材として、ポリプロピレン、ポリエチレン、ポリカーボネート、ポリ塩化ビニル（ＰＶＣ）、ポリアミド（ＰＡ）等が挙げられるが、それらに限定されない。
【００４６】
基材は、１つまたは複数の血液適合性材料で被覆することが好ましい。
【００４７】
凝血塊捕捉器は、射出成形部品または射出成形素子とすることができる。
【００４８】
篩面は、細目金網または篩用布とすることができる。篩面はほぼ、または完全にグリッド構造および／またはメッシュ構造として実現することができる。篩面は濾紙、濾過用不織布等から実現または作成することができる。
【００４９】
篩面または凝血塊捕捉器は、筐体やグリッド等のような支持構造によって支持または担持することができる。支持構造は、同様に篩分け効果または濾過効果を有することができる。
【００５０】
例えば、支持グリッドは篩面位置にまたは篩面の各面に設けることができる。さらなる好適な実施形態では、凝血塊捕捉器は筐体内部に配置される。
【００５１】
筐体は、凝血塊捕捉器または篩面の保護体の役割を果たすことができ、かつ／または凝血塊捕捉器または篩面を他の構造に固定する役割を果たすことができる。
【００５２】
好適な実施形態では、凝血塊捕捉器は筐体と連結される。
【００５３】
凝血塊捕捉器は、解放可能に筐体に連結することができる。凝血塊捕捉器は、例えばスナップ留めまたは掛止によって筐体に連結することができる。
【００５４】
代替例として、凝血塊捕捉器は筐体に解放不能に連結することもできる。凝血塊捕捉器は、例えば溶着または接着剤等で筐体に連結することができる。
【００５５】
通路の開口総表面積と、篩面の総表面積または凝血塊捕捉器の総表面積との間の比率は、凝血塊捕捉器の使用前に変化させることができる。
【００５６】
例えば、通路の開口総表面積と篩面の総表面積または凝血塊捕捉器の総表面積との間の比率は、異なる形状の場合、種々のまたは異なるサイズの通流孔を実現または形成することによって、かつ／または通流孔の無い部分を実現または配置または設けることによって、またはそのサイズおよび／または形状を変化させることによって、変化させることができる。
【００５７】
凝血塊捕捉器は、凝血塊捕捉器および／またはその篩面が筐体の流入領域を流出領域から分離するように、筐体内に組み込むことができる。
【００５８】
別の好適な実施形態では、凝血塊捕捉器は、その上側の少なくとも一部分にカバー手段を含むことができる。
【００５９】
カバー手段は、例えば添付の図面の図７に示す通り、少なくとも１つのセンサ用の結合面の役割を果たすことができる。カバー手段はこの目的のために用意することができる。カバー手段は、クランプ、クリップ手段等のような、センサまたはセンサを具備したコネクタを受容するための対応手段を含むことができる。
【００６０】
本発明の目的は、請求項１９に記載の外部機能手段を介しても達成される。本発明の凝血塊捕捉器の全ての利点もまた、損なわれることなく、本発明の外部機能手段により達成することができる。
【００６１】
本発明の外部機能手段は、本発明の少なくとも１つの凝血塊捕捉器を含む。「外部機能手段」は、単回使用部品または単回使用物品とすることができる。また、外部機能手段はプラスチック材から作成することができる。
【００６２】
本発明の外部機能手段は、処理方法での使用を想定することができる。本発明の意味における処理方法は、医療または医療技術処理方法のみならず、検査技術の処理方法をも含む。
【００６３】
好適な実施形態では、本発明の外部機能手段は血液カセットとして構成される。
【００６４】
本発明の意味における血液カセットとは、例えば、ドイツ特許商標庁に２００９年４月２３日および２００９年６月１０日に本願の出願人によってそれぞれ出願された、各々「Ｅｘｔｅｒｎｅ  Ｆｕｎｋｔｉｏｎｓｅｉｎｒｉｃｈｔｕｎｇ，Ｂｌｕｔｂｅｈａｎｄｌｕｎｇｓｖｏｒｒｉｃｈｔｕｎｇ  ｚｕｍ  Ａｕｆｎｅｈｍｅｎ  ｅｉｎｅｒ  ｅｒｆｉｎｄｕｎｇｓｇｅｍａＢｅｎ  ｅｘｔｅｒｎｅｎ  Ｆｕｎｋｔｉｏｎｓｅｉｎｒｉｃｈｔｕｎｇ，ｓｏｗｉｅ  Ｖｅｒｆａｈｒｅｎ」［外部機能手段、本発明に係る外部機能手段を受容するための血液処理装置、および方法］と称する、出願第１０  ２００９  ０１８  ６６４．６号（代理人ファイルＦＭ１９Ａ２７）および（０９／３３−ｄ０１  ＤＥ；ＦＭ１９Ａ２７）の明細書に記載されており、これらのそれぞれの開示を全て、参照によって本明細書に援用する。
【００６５】
本発明の目的は、請求項２１に記載の本発明に係る血液回路を介して同様に達成される。本発明の凝血塊捕捉器の全ての利点も、損なわれることなく、本発明の血液回路により達成することができる。
【００６６】
本発明に係る血液回路は、本発明に係る少なくとも１つの凝血塊捕捉器を含む。
【００６７】
本明細書で使用する場合、「血液回路」という表現は、体外血管回路の形体を有し、血液の処理に適した配管系を指す。
【００６８】
外部機能手段および血液回路はともに、処理装置内または処理装置上で使用する目的で提供することができる。
【００６９】
本発明の目的は、請求項２２に記載の本発明に係る処理装置を介して同様に達成される。本発明の凝血塊捕捉器の利点は全て、損なわれることなく、本発明の処理装置により達成することができる。
【００７０】
本発明に係る処理装置は、本発明の少なくとも１つの凝血塊捕捉器、および／または本発明の少なくとも１つの外部機能手段、および／または本発明の少なくとも１つの血液回路を含む。
【００７１】
例えば、処理装置は、血液透析、血液濾過、血液透析濾過等のような透析処理を実行するための透析装置のような血液処理装置とすることができる。
【００７２】
アクティブな篩面が円筒状または円錐状の形状を有する従来の凝血塊捕捉器と比較して、本発明の凝血塊捕捉器によって達成可能な流量の管理は有利に、凝血塊捕捉器またはその篩面それぞれの目詰まりをさらに防止することを可能にする。
【００７３】
円板状の形状はさらに、例えば最初に示した従来の円筒状凝血塊捕捉器と比較して、空間を節約した形で凝血塊捕捉器内部の篩面の設置を可能にする。
【００７４】
円板状の形状はさらに、小さな構造空間しか必要としない本発明の凝血塊捕捉器を設置するように適応された、例えば血液カセットまたは血液チューブ等を実現する可能性に有利に貢献する。
【００７５】
特に、本発明の凝血塊捕捉器が、通流孔が無いか、または少数の通流孔しか無い部分的領域を含むように実現された場合、凝血塊捕捉器によって通過を阻止された凝血塊の量が増大する可能性があるときに、凝血塊捕捉器の裏面の流出領域の閉塞を有利に遅らせることができる。
【００７６】
加えて、通流孔の長さおよび幅を変化させることによって、かつ／または通路の開口総表面積と篩面の総表面積または凝血塊捕捉器の総表面積との間の比率を変化させることによって、凝血塊捕捉器を通過する最適流量が得られるように、通流孔を通過する流量を有利に変化させ、かつ最適化させることができる。この目的のために、通流孔の通路の総表面積を最適化することも有利に可能である。最適化された流路は結果的に流動学的状態を改善し、とりわけ凝血塊捕捉器における凝血塊のさらなる増大に有利に影響する。
【００７７】
通流孔の円形の形状は、通流孔を通過する流体のフローデラミネーション（ｆｌｏｗ  ｄｅｌａｍｉｎａｔｉｏｎ）または妨害を実質的に緩和または防止するのに有利に貢献することができる。
【００７８】
このようにして、溶血および／または血液凝固活性化を低減することが有利に可能になる。
【００７９】
本発明の凝血塊捕捉器を固定する筐体は、流体流の流入側に存在する気泡が浮上するように、有利に構成することができる。気泡はこうして凝血塊捕捉器の流入領域から有利に放出することができる。これは特に、凝血塊捕捉器の篩面が、水平線に対して充分な仰角で構成される場合にはいつでも有利に可能である。この目的のために、篩面は例えば４５度〜９０度傾斜することができる。篩面は垂直に配置することが好ましい。
【００８０】
特定の構成では、篩面の垂直または略垂直配置は、水平配置と比較して、空間の節約にさらに貢献することができる。これは、垂直に配置された篩面が、それを組み込んだ血液カセットのカバー（フィルムのようなもの）と平行または略平行に配置された場合には、特に当てはまる。そのような血液カセットの例として、前掲の例に再び言及する。
【００８１】
凝血塊捕捉器への流入は、流入側が可能な限り徹底的に洗浄されるように、有利に行なうことができる。例えば、これは可能な限り接線方向の流入により有利に達成することができる。
【００８２】
本明細書で使用する場合、「接線方向」とは、篩面の主延長の平面と平行な平面内で、凝血塊捕捉器に実質的に衝突する流れを意味する。接線方向とは、図４、図５Ａおよび図５Ｂ、ならびに図６に示される通りと理解することができる。同様に、図５Ａおよび図５Ｂに示す通り、流出も接線方向または横方向に、または筐体の辺縁領域で、または非中心的に行なうことができる。
【００８３】
加えて、通流孔を同心（部分）円上に配置することによって、特に接線方向に進入または流入する場合に、流体の回転運動が流出側まで続き、したがって流出側の洗浄が改善されることを、有利に達成することができる。
【００８４】
本発明の凝血塊捕捉器はしたがって、ウィルヒョウの三主徴という意味で、単動式または複動式に血液凝固の形成に対抗するのに有利に適合させることができる。
【００８５】
以下では、添付の図面を参照しながら本発明を説明する。図面において、同一参照番号は同一または同様の要素を指す。
【図面の簡単な説明】
【００８６】
【図１】第１の実施形態に係る本発明の凝血塊捕捉器の正面図すなわち正面から見た図である。
【図２】第２の実施形態に係る凝血塊捕捉器の正面図すなわち正面から見た図。
【図３】第３の実施形態に係る本発明の凝血塊捕捉器の正面図である。
【図４】第１の筐体内に配置されたときの図３の凝血塊捕捉器の正面図である。
【図５Ａ】第２の筐体内にある図２の本発明の凝血塊捕捉器の正面図である。
【図５Ｂ】第３の筐体内にある図２の本発明の凝血塊捕捉器の正面図である。
【図６】図４の凝血塊捕捉器の縦断面図である。
【図７】センサに結合された本発明の凝血塊捕捉器の縦断面図である。
【図８】Ａ〜Ｃは篩面の通流孔のいくつかの実施形態を示す図である。
【発明を実施するための形態】
【００８７】
図１は、篩面１を有する第１の実施形態に係る本発明の凝血塊捕捉器１００を正面図で示している。
【００８８】
篩面１には、通流孔３が同心部分円上に配置される。
【００８９】
図２は、通流孔３が円上に、場合によっては再び部分円上に、互いにずらして篩面１に設けられた、第２の実施形態に係る本発明の凝血塊捕捉器１００を示す。そのような位置ずれは結果的に半径方向の重複を生じてもよい。しかし、これは必須ではない。
【００９０】
図３は、第３の実施形態に係る凝血塊捕捉器１００を示す。
【００９１】
凝血塊捕捉器１００は同心配置された部分円上に位置する通流孔３を篩面１に含む。部分円は篩面１を扇形に細分する。通流孔３も扇形部分に分けて配置される。
【００９２】
部分５には通流孔が設けられない。
【００９３】
通流孔３の長さは、図１の通り、篩面１の中心点７からの通流孔３の半径方向の距離ｒによって変化する。
【００９４】
通流孔３の長さは、篩面１の中心点７から通流孔３の角度方向φによって篩面１の周方向に変化する。
【００９５】
図４は、ここでは第１筐体２００内に配置された図３の凝血塊捕捉器１００の正面図を示す。
【００９６】
筐体２００の流入領域９には、流体の接線方向に到来した流れ、すなわち篩面１の辺縁領域または外周（端部側と理解すべきではない）に向けられた流れが提供される。流体流またはその流動方向は、図４以降で矢印によって示される。
【００９７】
流体または流体流は、流入領域９を介して凝血塊捕捉器１００内に進入し、流出領域１１で凝血塊捕捉器１００から退出する。流体は通常、最高点１３で凝血塊捕捉器に侵入し、最低点１５で凝血塊捕捉器１００から退出する。「最高」点１３および「最下」点１５という位置を示す表現が、凝血塊捕捉器１００の使用中の向きを指すことが好ましい。
【００９８】
破線Ｎ（傾斜）で示す通り、本発明の凝血塊捕捉器１００は、その使用中またはその使用のために、好ましくは、地球の中心方向の垂直または垂直線に対して、または図面に対して、最高約１５度まで傾斜することが許容される。
【００９９】
図５Ａは、第２筐体２００内の本発明の凝血塊捕捉器１００の正面図、すなわち正面から見た図を示す。
【０１００】
例えば図４に示す第１筐体２００とは異なり、図５Ａの流出領域１１は、中心軸線１７、すなわち凝血塊捕捉器の中心点７を通る軸線に対して左側に偏位して配置される。
【０１０１】
流出は接線方向である。
【０１０２】
図５Ｂは、第３筐体２００内にある本発明の凝血塊捕捉器１００の正面図を示す。
【０１０３】
図５Ａまたは図４の表現とは異なり、図５Ｂの表現に関連する流出領域１１は、中心軸線１７に対して右側に偏位して配置される。
【０１０４】
第５の実施形態でもまた、凝血塊捕捉器１００を通流する流体の接線方向の流出が達成される。
【０１０５】
図６は、中心点７を通り図４のＳ１−Ｓ１に沿った矢状断面図または縦断面図を示す。図４に示す通り、線Ｓ１−Ｓ１は、凝血塊捕捉器１００の中心を通る中心軸線１７に相当する。
【０１０６】
凝血塊捕捉器１００は筐体２００内に垂直に配置される。
【０１０７】
通流孔の無い部分５は、図６で流出領域１１に対向また隣接しながら底部に配置される。
【０１０８】
図７は、今度は異なる構成を有する筐体２００内部にある本発明の凝血塊捕捉器１００の縦断面図を示す。
【０１０９】
図７に示す通り、筐体２００は段差または傾斜部分１９を含む。
【０１１０】
凝血塊捕捉器１００にはカバー手段、例えばフィルム２１が設けられる。
【０１１１】
フィルム２１は、凝血塊捕捉器１００の上のセンサ２３用の結合面としての役割を果たすことができる。センサ２３は圧力センサとすることができる。センサ２３によって、例えば凝血塊捕捉器１００の流入領域９に存在する流体の圧力を測定することが可能である。
【０１１２】
センサ２３はコネクタ２５を介して、例えば処理装置（図示せず）またはその制御手段もしくは調整手段（図示せず）に接続される。
【０１１３】
図７でもまた、破線Ｎ（傾斜）は、本発明の凝血塊捕捉器１００をその使用中またはその使用のために、垂直に対しまたは中心点に垂直な線に対し、好ましくは、最高約１５度まで傾斜することができることを示す。
【０１１４】
図８のＡ〜Ｃは、篩面１の通流孔３の可能な実施形態を示す。
【０１１５】
図８のＡ〜Ｃは、図１に係る篩面を通る断面Ｓ２−Ｓ２に沿った通流孔３の構成を示す。
【０１１６】
図８のＡの通流孔３は鋭利なエッジを有する形で実現される。
【０１１７】
図８のＢの通流孔３は片側（図５Ｂの頂部）が丸みを帯びるように作成されている。
【０１１８】
図８のＣでは、通流孔３は両側が丸みを帯びるように作成されている。
【符号の説明】
【０１１９】
１００  凝血塊捕捉器
２００  筐体
１  篩面
３  通流孔
５  通流孔の無い部分
７  篩面の中心点
９  流入領域
１１  流出領域
１３  凝血塊捕捉器の最高点
１５  凝血塊捕捉器の最下点
１７  中心軸線
１９  傾斜部分
２１  フィルム
２３  センサ
２５  コネクタ
Ｎ  傾斜
【図１】
0005713212.tif 000002
【図２】
0005713212.tif 000003
【図３】
0005713212.tif 000004
【図４】
0005713212.tif 000005
【図５Ａ】
0005713212.tif 000006
【図５Ｂ】
0005713212.tif 000007
【図６】
0005713212.tif 000008
【図７】
0005713212.tif 000009
【図８】
0005713212.tif 000010